(57)【要約】【課題】ユーザーが、シート積載部材に積載するシートのシートサイズに応じた正しい指標に規制部材を位置決めできるシート積載部材、及び当該シート積載部材を装備した画像形成装置を提供する。【解決手段】サイド規制部材３３は、シートの端面を規制し、シートカセット３０の積載面に積載されるシートの端面を規制する規制位置へ積載面に沿って移動可能である。シートサイズ表示部３６は、指標４１ａ、４１ｂ、・・がサイド規制部材３３による異なる規制位置に応じて配列されている。表示枠部３３ｗは、視認窓５１を有し、サイド規制部材３３の移動に連動して指標４１ａ、４１ｂ、・・の配列方向に移動する。表示枠部３３ｗは、複数の指標６１ａ、６１ｂ、・・から１つの指標を視認窓５１の開口の輪郭５２の移動方向に対向する二辺の間に位置させて選択する。【選択図】図５
2017007835.tif 000002
【特許請求の範囲】
【請求項１】
シートの積載面を有するシート積載部と、
シートの端面を規制し、前記積載面に積載されるシートの端面を規制する規制位置へ前記積載面に沿って移動可能な規制部材と、
シートサイズを表す文字を含む指標がそれぞれ異なる前記規制位置に応じて配列された指標配列部と、
前記指標の配列方向に離隔した一対の選択線を有し、前記規制部材の移動に連動して前記指標の配列方向に移動して、複数の前記指標から前記規制位置に応じた１つの指標を前記一対の選択線の間に位置させて選択する選択部と、を備えることを特徴とするシート積載部材。
【請求項２】
前記指標は、前記選択部の移動に伴って前記指標の文字の外側で前記選択線に位置決めされる指標線を有することを特徴とする請求項１に記載のシート積載部材。
【請求項３】
前記指標は、前記指標の文字を前記指標の配列方向に挟んで前記指標線が一対配置され、
前記指標の配列方向における一対の前記指標線の間隔は、前記指標の配列方向における前記一対の選択線の間隔よりも小さいことを特徴とする請求項２に記載のシート積載部材。
【請求項４】
前記選択部は、前記指標の配列方向における前記選択線に隣接する領域を遮る遮蔽面を有することを特徴とする請求項１乃至３のいずれか１項に記載のシート積載部材。
【請求項５】
前記遮蔽面は、前記一対の選択線の対向方向の反対側へ向かって傾斜していることを特徴とする請求項４に記載のシート積載部材。
【請求項６】
前記選択部は、前記一対の選択線を対向させて枠を構成した窓部を有することを特徴とする請求項１乃至５のいずれか１項に記載のシート積載部材。
【請求項７】
前記指標配列部は、複数の前記指標を、前記指標の配列方向に直角な方向に離隔させて二列に配列し、
前記選択部は、前記二列の第一列に属する指標に対応させた第１の前記窓部と、前記二列の第二列に属する指標に対応させた第２の前記窓部と、を有することを特徴とする請求項６に記載のシート積載部材。
【請求項８】
前記選択部は、前記規制部材に固定され、
前記指標配列部は、前記規制部材の移動方向に複数の前記指標を配列していることを特徴とする請求項１乃至７のいずれか１項に記載のシート積載部材。
【請求項９】
前記シート積載部からシートが搬送される搬送方向に直角な規制方向へ移動可能な第１の前記規制部材と第２の前記規制部材とを備え、
第１の前記規制部材と第２の前記規制部材とを連動させて前記規制方向へ移動させる連動機構を備えることを特徴とする請求項１乃至８のいずれか１項に記載のシート積載部材。
【請求項１０】
請求項１乃至９のいずれか１項に記載のシート積載部材と、
前記シート積載部材から給送されたシートに画像を形成する画像形成部と、を備えることを特徴とする画像形成装置。
【発明の詳細な説明】
【技術分野】
【０００１】
本発明は、画像形成装置、画像読取装置、シート処理装置等に装備されてシートが積載されるシート積載部材、及び当該シート積載部材を装備した画像形成装置に関する。
【背景技術】
【０００２】
画像形成装置、画像読取装置、シート処理装置等は、処理前のシートを積載するシート積載部材を備える。シート積載部材には、シートを送り出す搬送方向に直角な幅方向あるいは搬送方向においてシートの積載位置を規制する規制部材が設けられている。
【０００３】
特許文献１に記載される画像形成装置では、シート積載部材に複数のサイズ指標をシートの幅方向に配列させて配置している。そして、シートの幅方向に移動可能な規制部材がシートサイズに応じた１つのサイズ指標に位置決められる。
【０００４】
特許文献２に記載される画像形成装置では、シート積載部材に複数のサイズ指標をシートの搬送方向に配列させて配置している。そして、シートの搬送方向に移動可能な規制部材に固定されたポインタがシートサイズに応じた１つのサイズ指標を指し示す。
【先行技術文献】
【特許文献】
【０００５】
【特許文献１】特開２００５−２９８１１１号公報
【特許文献２】特開２００７−５１００２号公報
【発明の概要】
【発明が解決しようとする課題】
【０００６】
特許文献１、２のシート積載部材では、シート積載部材に配置された２つ以上のサイズ指標がユーザーによって同時に読み取られてしまう。そのため、ユーザーは、シート積載部材に積載するシートのシートサイズに応じた正しいサイズ指標の代わりに、隣接する別のサイズ指標に規制部材を位置決めする可能性がある。
【０００７】
本発明は、ユーザーが、シート積載部材に積載するシートのシートサイズに応じた正しい指標に規制部材を位置決めできるシート積載部材を提供することを目的としている。
【課題を解決するための手段】
【０００８】
本発明のシート積載部材は、シートの積載面を有するシート積載部と、シートの端面を規制し、前記積載面に積載されるシートの端面を規制する規制位置へ前記積載面に沿って移動可能な規制部材と、シートサイズを表す文字を含む指標がそれぞれ異なる前記規制位置に応じて配列された指標配列部と、前記指標の配列方向に離隔した一対の選択線を有し、前記規制部材の移動に連動して前記指標の配列方向に移動して、複数の前記指標から前記規制位置に応じた１つの指標を前記一対の選択線の間に位置させて選択する選択部と、を備えるものである。
【発明の効果】
【０００９】
本発明のシート積載部材では、一対の選択線で指標が選択されるので、選択しない指標と選択した指標とを読み間違いにくい。このため、ユーザーが、シート積載部材に積載するシートのシートサイズに応じた正しい指標に規制部材を位置決めできる。
【図面の簡単な説明】
【００１０】
【図１】画像形成装置の構成の説明図である。
【図２】画像形成装置の外観の説明図である。
【図３】シートカセットの斜視図である。
【図４】シートカセットの平面図である。
【図５】実施の形態１におけるシートサイズ表示部と選択部の構成の説明図である。
【図６】サイド規制部材の位置決め手順の説明図である。
【図７】実施の形態２におけるシートサイズ表示部と選択部の構成の説明図である。
【図８】サイド規制部材の位置決め手順の説明図である。
【図９】実施の形態３のシートサイズ表示部の説明図である。
【図１０】実施の形態４の画像形成装置の構成の説明図である。
【図１１】実施の形態４における表示枠部の説明図である。
【図１２】その他の実施の形態の説明図である。
【発明を実施するための形態】
【００１１】
以下、図面を参照して、本発明の実施の形態を説明する。
【００１２】
＜実施の形態１＞
（画像形成装置）
図１は画像形成装置の構成の説明図である。図２は画像形成装置の外観の説明図である。図１に示すように、画像形成装置１は、原稿読取部１１に載置された原稿ＧＢを原稿押さえ部（圧板）１０で押え付けて、原稿ＧＢの下面の画像を原稿読取部１１により読み取って画像データを生成する。画像形成部２０は、原稿読取部１１が生成した画像データに基づいて電子写真方式の画像形成プロセスを実行する。
【００１３】
ピックアップローラ２は、シート積載部材の一例であるシートカセット３０に積載されたシート束から最上位のシートＳを送り出す。シートカセット３０から送り出されたシートＳは、分離ローラ３で１枚ずつに分離されて画像形成部２０へ給送され、画像形成部２０において画像を形成される。画像を形成されたシートＳは、排出ローラ４によって胴内排出部４０へ排出される。
【００１４】
図２に示すように、画像形成装置１は、前面にユーザーが操作する操作表示部５０を備える。シートカセット３０は、画像形成装置１の装置本体に収納された収納位置と本体から前側へ引き出された引出し位置との間をスライド移動可能である。画像形成装置１の装置本体には、シートカセット３０をスライド移動可能に支持するレール（図示せず）が取り付けられ、シートカセット３０の左右の側面には、レールに係合可能な車輪が取り付けられている。
【００１５】
シートカセット３０の前側に前面カバー３２が配置される。ユーザーは、前面カバー３２に設けられた把持部３２ａを把持して、シートカセット３０を画像形成装置１の本体に対してスライド移動させる。
【００１６】
シートカセット３０にシートを補給する際には、前面カバー３２に設けられた把持部３２ａを把持して前方に引っ張ることにより、画像形成装置１の本体からシートカセット３０を引き出す。これにより、シートカセット３０のシート収容部（３１：図３）が外部に露出した状態になる。
【００１７】
（シートカセット）
図３はシートカセットの斜視図である。図４はシートカセットの平面図である。図３に示すように、シート積載部の一例であるシート収容部３１は、シートの積載面を有する。規制部材の一例であるサイド規制部材３３は、シートの端面を規制し、積載面に積載されるシートの端面を規制する規制位置へ積載面に沿って移動可能である。
【００１８】
シートカセット３０は、シート収容部３１において、複数のサイズのシートを収容可能である。シート収容部３１は、箱状に形成されて、複数枚のシートを積載して収容可能である。シート収容部３１の内底面には、一対のサイド規制部材３３、３４と、後端規制部材３５と、シートサイズ表示部３６と、が設けられている。シート収容部３１には、高さ方向に移動して積載されたシートの給送を可能にする中板３１ａが配置されている。
【００１９】
後端規制部材３５は、シート収容部３１内の前後方向の中央の右側位置に配置され、シート収容部３１内を左右方向にスライド移動可能である。後端規制部材３５は、シート収容部３１に収容されたシート束の右側側面に当接して、シート束の左右方向の位置を規制する。シート収容部３１に収容されたシートは、シート収容部３１の左側の内壁と後端規制部材３５とによって前後方向の位置を規制される。
【００２０】
サイド規制部材３３、３４は、平板状に形成され、対向する板面の内側にシート束を挟み込んでシート束の端面を規制する。サイド規制部材３３、３４は、シート収容部３１からシートが搬送される搬送方向に直角な規制方向へスライド移動可能に設けられている。サイド規制部材３３にはクリップ式のロック機構が設けられている。ユーザーはクリップ式のロック機構を指で閉じることで、ロックを解除してサイド規制部材３３を移動可能にする。そして、サイド規制部材３３を位置決めた状態でクリップ式のロック機構を解放することで、サイド規制部材３３が移動不可能になる。
【００２１】
図４に示すように、サイド規制部材３３、３４は、連動しており、サイド規制部材３３が後方に移動する際には、サイド規制部材３４が前方に移動し、サイド規制部材３３が前方に移動する際には、サイド規制部材３４が後方に移動する。連動機構の一例であるピニオンギア３４ｐは、サイド規制部材３３、３４を連動させて規制方向へ対称に移動させる。サイド規制部材３３、３４は、サイド規制部材３３に固定されたラックギア３３ｇとサイド規制部材３４に固定されたラックギア３４ｇとをピニオンギア３４ｐに噛み合せることにより連動している。
【００２２】
ユーザーは、サイド規制部材３３、３４を手動にて移動させて、シート収容部３１に積載されるシート束の側面に当接する位置に位置決める。これにより、シート補給時には、サイド規制部材３３、３４がシート束の側面を前後から挟み込むように当接して、シート束の前後方向の位置を規制する。そして、画像形成部（２０：図１）へのシート給送時には、サイド規制部材３３、３４によってシートを確実に誘導して、画像形成時に画像の位置ずれ等が発生するのを抑制する。
【００２３】
シート収容部３１内の右前方におけるサイド規制部材３３の移動領域外に、シートサイズ表示部３６が設けられている。ユーザーは、シートサイズ表示部３６に配置された指標を読み取って、サイド規制部材３３、３４の位置を設定する。
【００２４】
（シートサイズ表示部）
図５は実施の形態１におけるシートサイズ表示部と選択部の構成の説明図である。図５中、（ａ）は平面図、（ｂ）は（ａ）中のＡ−Ａ断面図である。
【００２５】
図５の（ａ）に示すように、シートサイズ表示部３６は、サイド規制部材３３が移動する矢印Ｄ方向に複数の指標４１ａ、４１ｂ、４１ｃ、４１ｄ、４１ｅを配列したサイズ表示部４１を有する。指標４１ａ、４１ｂ、４１ｃ、４１ｄ、４１ｅは、表示を異ならせて輪郭形状等は同一に形成されている。代表として、指標４１ａは、具体的なサイズ名が記載された表示部４１ｉと縦送り／横送りの区別を表した表示部４１ｊとを輪郭線４１ｍで囲んでいる。
【００２６】
図５の（ｂ）に示すように、指標４１ｂは、シートサイズ表示部３６に形成した溝部４１ｋ内に表示部４１ｉ、４１ｊを凸形状として表記しているので、サイド規制部材（３３）の移動の妨げとならない。輪郭線４１ｍは、溝部４１ｋの４つの側面である。
【００２７】
（視認窓）
図５の（ａ）に示すように、サイド規制部材３３の端部に薄い板状の表示枠部３３ｗが固定されている。表示枠部３３ｗは、サイド規制部材３３の位置に応じてシートサイズ表示部３６の指標４１ａ、４１ｂ、４１ｃ、４１ｄ、４１ｅを個別に視認可能な視認窓５１が設けられている。
【００２８】
視認窓５１の開口の輪郭５２は、指標４１ｅと相似形に形成され、指標４１ｅの輪郭線４１ｍよりもわずかに大きい。このため、視認窓５１の開口を指標４１ｅに重ね合わせると、視認窓５１の輪郭５２と指標４１ｅの輪郭線４１ｍの間に指標４１ｅを囲むわずかな隙間が形成される。
【００２９】
以上説明したように、指標配列部の一例であるシートサイズ表示部３６は、指標４１ａ、４１ｂ、・・が、サイド規制部材３３による異なる規制位置に応じて配列されている。指標４１ａは、シートサイズを表す文字Ａ５を含む。指標４１ａは、指標の文字Ａ５を挟んで輪郭線４１ｍの二辺が一対配置される。そして、指標線の一例である輪郭線４１ｍの一辺は、表示枠部３３ｗの移動に伴って指標の文字の外側で輪郭５２に位置決めされる。
【００３０】
選択部の一例である表示枠部３３ｗは、視認窓５１を有し、サイド規制部材３３の移動に連動して指標配列方向に移動して、複数の指標４１ａ、４１ｂ、・・から規制位置に応じた１つの指標を視認窓５１の開口の輪郭５２の間に位置させて選択する。窓部の一例である視認窓５１は、輪郭５２の二辺を対向させて枠を構成している。一対の選択線の一例である輪郭５２の二辺は、指標６１ａの配列方向に離隔している。
【００３１】
（位置決め手順）
図６はサイド規制部材の位置決め手順の説明図である。図６中、（ａ）は移動中、（ｂ）は位置決め状態である。図６の（ａ）に示すように、Ａ５サイズのシートを縦送り状態でシートカセット３０に補給する場合、ユーザーは、手動でサイド規制部材３３を矢印Ｅ方向にスライド移動させる。このとき、サイド規制部材３３に対向するサイド規制部材（３４：図４）は、サイド規制部材３３の移動に連動してサイド規制部材３３と逆方向にスライド移動する。
【００３２】
図６の（ｂ）に示すように、ユーザーは、指標４１ａに視認窓５１を位置決めてサイド規制部材３３の移動を停止させる。このとき、視認窓５１の輪郭５２の内側に指標４１ａの輪郭線４１ｍが等しく見えるように位置合せすることで、サイド規制部材３３がＡ５サイズの表示部４１ｉと縦送りを表す表示部４１ｊとを有する指標４１ａに精密に位置決めされる。
【００３３】
これにより、サイド規制部材３３、３４は、シート収容部３１に収容されるＡ５サイズのシートの幅方向の位置を規制可能になる。図４に示すように、シート収容部３１内には、サイド規制部材３３、３４によって、Ａ５サイズのシートの縦方向の長さ：１４８ｍｍを有するシート収容領域が形成される。
【００３４】
図５の（ａ）に示すように、同様にしてＡ４サイズのシートを横送り状態でシートカセット３０に補給する場合、Ａ４サイズと横送りとが表示された指標４１ｅに視認窓５１を位置決めてサイド規制部材３３の移動を停止させる。
【００３５】
これにより、サイド規制部材３３、３４は、シート収容部３１に収容されるＡ４サイズのシートの幅方向の位置を規制可能になる。図４に示すように、シート収容部３１内に、サイド規制部材３３、３４によってＡ４サイズのシートの縦方向の長さ：２９７ｍｍを有するシート収容領域が形成される。
【００３６】
サイド規制部材３３、３４の位置決め後、ユーザーは、後端規制部材３５も手動で移動させて、シート収容部３１の底面のシートサイズ表示部３６の補給するシートのシートサイズに対応する指標に位置決める。
【００３７】
このようにして、ユーザーがシート収容部３１に補給したシートは、一対のサイド規制部材３３、３４と後端規制部材３５とシート収容部３１の左側の内壁面とにより形成された領域内に位置ずれ不可能に収容される。その後、ユーザーは、図２に示すように、シートカセット３０を画像形成装置１の本体内の正規の位置に収納する。
【００３８】
その後、ユーザーが操作表示部５０において画像形成開始の指示操作を行うと、シート収容部３１内のシートは、一対のサイド規制部材３３、３４により確実にガイドされながら、画像形成部２０に向かってずれることなく順次搬送される。
【００３９】
（実施の形態１の効果）
実施の形態１では、視認窓５１の輪郭５２を指標４１ａの輪郭線４１ｍに位置決めしたときに、視認窓５１にサイド規制部材３３、３４の規制位置に応じたシートサイズのみが表示される。このため、ユーザーが補給するシートとは異なるシートサイズの指標４１ｂに視認窓５１の輪郭５２を位置決めして、サイド規制部材３３、３４の規制位置を設定することを回避できる。
【００４０】
実施の形態１では、指標配列方向における輪郭線４１ｍの二辺の間隔は、指標配列方向における輪郭５２の二辺の間隔よりも小さい。このため、視認窓５１の輪郭５２を指標４１ａの輪郭線４１ｍに位置決めしたときに、輪郭線４１ｍと輪郭５２との間に２つの隙間が形成される。そして、指標４１ａの輪郭線４１ｍに視認窓５１の輪郭５２を位置決める際に、移動方向の輪郭線４１ｍと輪郭５２の２つの隙間の差が目立つ。このため、移動方向の輪郭線４１ｍと輪郭５２の２つの隙間が揃う位置へサイド規制部材３３、３４を移動することにより、サイド規制部材３３、３４の規制位置を精密に設定できる。
【００４１】
実施の形態１では、遮蔽面の一例である視認窓５１の輪郭５２に隣接する部分は、指標６１ａの配列方向における輪郭５２に隣接する領域を遮る。このため、輪郭５２に隣接する領域に配置された文字を読んで位置決めを間違うことがない。
【００４２】
実施の形態１では、視認窓５１の輪郭５２に隣接する部分は、輪郭５２の二辺の対向方向の反対側へ向かって傾斜している。このため、斜め方向から視認窓５１を観察している状態でも指標４１ａの輪郭線４１ｍを視認してにサイド規制部材３３、３４を所望の規制位置へ正確に位置決めすることができる。
【００４３】
＜実施の形態２＞
図７は実施の形態２におけるシートサイズ表示部と選択部の構成の説明図である。図７中、（ａ）は平面図、（ｂ）は（ａ）中のＢ−Ｂ断面図、（ｃ）は（ａ）中のＣ−Ｃ断面図である。
【００４４】
図５に示すように、実施の形態１では、シートサイズ表示部３６に指標４１ａ、４１ｂ、・・・が一列に配置されていた。これに対して、実施の形態２では、図７に示すように、シートサイズ表示部３６に指標６１ａ、６１ｂ、・・・と、指標７１ａ、７１ｂ、・・・とが二列に配置されている。シートサイズ表示部３６及びサイド規制部材３３以外の構成は、実施の形態１と同一であるため、図７、図８中、実施の形態１と共通の構成については図５、図６と同一の符号を付して重複する説明を省略する。
【００４５】
（近接したシート幅の誤認）
シートの規格には、センチ単位系に基づく定型シートＡ４、Ａ５等の他に、インチ単位系や、種々の特殊単位系のものがある。このため、画像形成装置１では、Ａ３、Ａ４、Ａ５、Ｂ３、Ｂ４、Ｂ５等のセンチ単位系のシート以外に、センチ単位系に近接した数値幅を持つシートが使用されることがある。例えば、横送りのＳＴＭＴサイズ（１３９．７ｍｍ）、横送りの１６Ｋサイズ（１９５ｍｍ）、送りのＬＴＲサイズ（２２０ｍｍ）／横送りのＬＧＲサイズ（２２０ｍｍ）、縦送りのＥＸＥＣサイズ（２６６.７ ｍｍ）、横送りの１１×１７サイズ（２７９．４ｍｍ）／縦送りのＬＴＲサイズ（２７９．４ｍｍ）である。
【００４６】
実施の形態１では、視認窓５１が１つであるため、特殊な単位系に基づく指標を追加する場合、シートサイズ表示部３６において定型シートの指標と同列上に配置する必要がある。この場合、いくつかの指標間隔が狭くなるため、指標に使用できる文字サイズが小さくなる。指標に使用する文字サイズを小さくすると指標を読みにくくなる。
【００４７】
例えば、センチ単位系に基づくＡ４サイズ（２１０ｍｍ）の指標位置と、インチ単位系に基づく８．５×１１サイズ（２１５．９ｍｍ）の指標位置との間隔が狭くなる。この場合、両方の指標を部分的に重ねて配置すると、文字が読みにくくなる。サイド規制部材３３、３４を所望の指標に位置決める際に、隣接する指標が邪魔になる。シート収容部３１に収容されるシートの指標位置とは異なる指標位置にサイド規制部材３３、３４が位置決めされる可能性がある。
【００４８】
そこで、実施の形態２では、センチ単位系のシートの指標６１ａ、６２ｂ、・・と非定型シートの指標７１ａ、７１ｂ、・・とを別々の列に配置して、それぞれ専用の視認窓８１、９１を用いて位置決めを行うこととした。
【００４９】
（シートサイズ表示部）
図７の（ａ）に示すように、シートサイズ表示部３６は、複数の指標を、指標配列方向に直角な方向に離隔させて二列に配列している。シートサイズ表示部３６は、センチ単位系の指標６１ａ、６１ｂ、６１ｃ、６１ｄ、６１ｅを配列した第１サイズ表示部６１と、特殊単位系の指標７１ａ、７１ｂ、７１ｃ、７１ｄ、７１ｅを配列した第２サイズ表示部７１とを有する。そして、第１サイズ表示部６１に配置されたシートサイズと、第２サイズ表示部７１に配置されたシートサイズとは、近接した数値幅のものがある。
【００５０】
図７の（ａ）に示すように、第１サイズ表示部６１は、横送りのＡ５サイズ（１４８ｍｍ）、横送りのＢ５サイズ（１８２ｍｍ）、横送りのＡ４サイズ（２１０ｍｍ）、横送りのＢ４サイズ（２５７ｍｍ）／縦送りのＢ５サイズ（２５７ｍｍ）、横送りのＡ３サイズ（２９７ｍｍ）／縦送りのＡ４サイズ（２９７ｍｍ）の各指標を含む。第１サイズ表示部６１の指標６１ａ、６１ｂ、６１ｃ、６１ｄ、６１ｅは、表示を異ならせて輪郭形状等は同一に形成されている。代表として、指標６１ａは、具体的なサイズ名が記載された表示部６１ｉと縦送り／横送りの区別を表した表示部６１ｊとを輪郭線６１ｍで囲んでいる。
【００５１】
図７の（ｂ）に示すように、指標６１ｂは、シートサイズ表示部３６に形成した溝部６１ｋ内に表示部６１ｉ、６１ｊを凸形状として表記している。輪郭線６１ｍは、溝部６１ｋの矢印Ｄ方向に対向する２つの側面である。
【００５２】
図７の（ａ）に示すように、第２サイズ表示部７１は、横送りのＳＴＭＴサイズ（１３９．７ｍｍ）、横送りの１６Ｋサイズ（１９５ｍｍ）、横送りのＬＴＲサイズ（２２０ｍｍ）／横送りのＬＧＲサイズ（２２０ｍｍ）、縦送りのＥＸＥＣサイズ（２６６.７ ｍｍ）、横送りの１１×１７サイズ（２７９．４ｍｍ）／縦送りのＬＴＲサイズ（２７９．４ｍｍ）の各指標を含む。指標７１ａ、７１ｂ、７１ｃ、７１ｄ、７１ｅは、表示を異ならせて輪郭形状等は同一に形成されている。代表として、指標７１ａは、具体的なサイズ名が記載された表示部７１ｉと縦送り／横送りの区別を表した表示部７１ｊとを輪郭線７１ｍで囲んでいる。
【００５３】
図７の（ｃ）に示すように、指標７１ｂは、シートサイズ表示部３６に形成した溝部７１ｋ内に表示部７１ｉ、７１ｊを凸形状として表記している。輪郭線７１ｍは、溝部７１ｋの矢印Ｄ方向に対向する２つの側面である。
【００５４】
（視認窓）
図７の（ａ）に示すように、サイド規制部材３３のシートサイズ表示部３６側の端部に、薄い板状の表示枠部３３ｗが固定されている。表示枠部３３ｗは、サイド規制部材３３の位置に応じてシートサイズ表示部３６の指標６１ａ、６１ｂ、６１ｃ、６１ｄ、６１ｅを視認可能な視認窓８１と、指標７１ａ、７１ｂ、７１ｃ、７１ｄ、７１ｅを視認可能な視認窓９１と、が設けられている。第１の窓部の一例である視認窓８１は、二列の指標の第一列に属する指標６１ａ、６１ｂ、・・に対応している。第２の窓部の一例である視認窓９１は、二列の指標の第二列に属する指標７１ａ、７１ｂ、・・に対応している。
【００５５】
視認窓８１の開口の輪郭８２は、溝部６１ｋと相似形に形成され、輪郭線４１ｍよりもわずかに大きい。視認窓９１の開口の輪郭９２は、溝部７１ｋと相似形に形成され、輪郭線７１ｍよりもわずかに大きい。
【００５６】
（位置決め手順）
図８はサイド規制部材の位置決め手順の説明図である。図８中、（ａ）は移動中、（ｂ）は位置決め状態である。
【００５７】
図８の（ａ）に示すように、Ａ５サイズのシートを縦送り状態でシートカセット３０に補給する場合、ユーザーは、手動でサイド規制部材３３を矢印Ｅ方向にスライド移動させる。このとき、サイド規制部材（３４：図４）は、サイド規制部材３３の移動に連動してサイド規制部材３３と逆方向にスライド移動する。
【００５８】
図８の（ｂ）に示すように、ユーザーは、指標６１ａに視認窓８１を位置決めてサイド規制部材３３の移動を停止させる。このとき、視認窓８１の輪郭８２の内側にＡ５サイズの表示部６１ｉと縦送りを表す表示部６１ｊとを有する指標６１ａを位置させることにより、サイド規制部材３３、（３４）は、シート収容部３１に収容されるＡ５サイズのシートの幅方向の位置を規制可能になる。
【００５９】
図７の（ａ）に示すように、同様にして１１×１７サイズのシートを横送り状態でシートカセット３０に補給する場合、ユーザーは、指標７１ｅに視認窓９１を位置決めてサイド規制部材３３の移動を停止させる。１１×１７サイズと横送りとが表示された指標７１ｅに視認窓９１を位置決めることで、サイド規制部材３３、３４は、シート収容部３１に収容される１１×１７サイズのシートの幅方向の位置を規制可能になる。図４に示すように、シート収容部３１内に、サイド規制部材３３、３４によって１１×１７サイズのシートの縦方向の長さ：４３１．８ｍｍを有するシート収容領域が形成される。
【００６０】
サイド規制部材３３、３４の位置決め後、ユーザーは、後端規制部材３５も手動で移動させて、シート収容部３１の底面のシートサイズ表示部３７の補給するシートのシートサイズに対応する指標に位置決める。
【００６１】
このようにして、ユーザーがシート収容部３１に補給したシートは、一対のサイド規制部材３３、３４と後端規制部材３５とシート収容部３１の左側の内壁面とにより形成された領域内に位置ずれ不可能に収容される。その後、ユーザーは、図２に示すように、シートカセット３０を画像形成装置１の本体内の正規の位置に収納する。
【００６２】
その後、ユーザーが操作表示部５０において画像形成開始の指示操作を行うと、シート収容部３１内のシートは、一対のサイド規制部材３３、３４により確実にガイドされながら、画像形成部２０に向かってずれることなく順次搬送される。
【００６３】
（実施の形態２の効果）
実施の形態２では、センチ単位系のシートを使用する場合には、第１視認窓８１の輪郭８２を第１サイズ表示部６１に配置された複数の指標のうちの所望の１つに合わせることで、第１視認窓８１に所望の指標のみが表示される。また、１１×１７サイズのシートを横送りで使用する場合には、第２視認窓９１の輪郭９２を第２サイズ表示部７１に配置された複数の指標のうち１１×１７サイズ横送りのものに合わせることで、第２視認窓８１に所望の指標のみが表示される。
【００６４】
実施の形態２では、指標配列方向において近接した２つの指標を、指標配列方向に直角な方向に離隔した別々の領域に配置するため、指標配列方向において近接した２つの指標の間隔を狭くする必要が無い。大きな文字を使用した大きな指標を使用して、隣接する指標に惑わされることなくサイド規制部材３３、３４の位置決めを実行することができる。
【００６５】
実施の形態２では、指標配列方向において近接した２つの指標が存在する場合でも、ユーザーの意図に反して異なるシートサイズの規制位置にサイド規制部材３３を位置決めすることを回避できる。これにより、シート収容部３１に収容されるシートの規制位置とは異なる規制位置にサイド規制部材３３、３４が位置決めされて、画像形成部へ幅方向に位置ずれしたシートや斜めに傾いたシートが給送されることを回避できる。
【００６６】
実施の形態２では、センチ単位系のシート用の第１視認窓８１とは別に第２視認窓９１が配置されているため、センチ単位系のシートを使用しないユーザーであれば、第１視認窓８１を塞いで、センチ単位系のシートの規制位置が利用されることを回避できる。
【００６７】
＜実施の形態３＞
図９は実施の形態３のシートサイズ表示部の説明図である。図７の（ｂ）に示すように、実施の形態２では、シートサイズ表示部３６は、シートカセット３０の底壁に溝部６１ｋとして立体的に形成されていた。これに対して、図９に示すように、実施の形態３では、シートサイズ表示部３６Ｂは凹凸の無いシート状のサイズ表示ラベル１００で形成され、図４に示すシートカセット３０の内底面に貼付されている。シートサイズ表示部３６Ｂは、第１サイズ表示部６１と、第１サイズ表示部６１のものに近接した数値幅を含む第２サイズ表示部７１と、にそれぞれ文字表示を異ならせた複数の指標を印刷している。
【００６８】
図７の（ａ）に示すように、実施の形態３では、シート収容部３１に貼付されたサイズ表示ラベル（１００：図９）に沿って表示枠部３３ｗを移動させる。そして、サイズ表示ラベル（１００：図９）上に印刷された指標６１ａ、６１ｂ、６１ｃ、６１ｄ、６１ｅのうちの１つに視認窓８１の輪郭８２を位置決める。もしくは、指標７１ａ、７１ｂ、７１ｃ、７１ｄ、７１ｅのうちの１つに視認窓９１の輪郭９２を位置決める。
【００６９】
実施の形態３によれば、同一のシートカセット３０を複数のユーザーで共通に使用していても、ユーザーごとにサイズ表示ラベル（１００：図９）を異ならせることで画像形成装置のカスタマイズが可能である。ユーザーごとに必要最小限の個数の指標を配置したサイズ表示ラベル（１００：図９）を使用することができる。
【００７０】
＜実施の形態４＞
図１０は実施の形態４の画像形成装置の構成の説明図である。図１１は実施の形態４における表示枠部の説明図である。図３に示すように、実施の形態２では、シートカセット３０のシート収容部３１（内底面）にシートサイズ表示部３６を配置した。これに対して、実施の形態４では、図１０に示すように、画像形成装置１Ｅの棚状のシート収容部３１Ｅにおける傾斜面３１ｈと垂直面３１ｉとにシートサイズ表示部３６Ｅを配置した。
【００７１】
（画像形成装置）
画像形成装置１Ｅは、シート収容部３１Ｅに積載されたシート束から最上位の１枚を画像形成部２０Ｅへ給送する。画像形成部２０Ｅではインクジェット印刷方式でシートに画像を形成して、排出口４０Ｅから排出する。
【００７２】
シート収容部３１Ｅには、シート収容部３１Ｅに積載されるシート束の端面を規制するサイド規制部材３３、３４が連動して矢印Ｇ方向へ移動可能に設けられている。ユーザーは、シートサイズ及び送り方向に応じた位置へサイド規制部材３３、３４を位置決めた後に、シート収容部３１Ｅへシートを補給する。
【００７３】
（シートサイズ表示部）
シートサイズ表示部３６Ｅは、シート収容部３１の垂直面３１ｉに第１サイズ表示部６１Ｅを配置し、傾斜面３１ｈに第２サイズ表示部７１Ｅを配置している。
【００７４】
第１サイズ表示部６１Ｅは、横送りのＡ５サイズ（１４８ｍｍ）、横送りのＢ５サイズ（１８２ｍｍ）、横送りのＡ４サイズ（２１０ｍｍ）、横送りのＢ４サイズ（２５７ｍｍ）／縦送りのＢ５サイズ（２５７ｍｍ）、横送りのＡ３サイズ（２９７ｍｍ）／縦送りのＡ４サイズ（２９７ｍｍ）の各指標を含む。
【００７５】
第２サイズ表示部７１Ｅは、横送りのＳＴＭＴサイズ（１３９．７ｍｍ）、横送りの１６Ｋサイズ（１９５ｍｍ）、横送りのＬＴＲサイズ（２２０ｍｍ）／横送りのＬＧＲサイズ（２２０ｍｍ）、縦送りのＥＸＥＣサイズ（２６６.７ ｍｍ）、横送りの１１×１７サイズ（２７９．４ｍｍ）／縦送りのＬＴＲサイズ（２７９．４ｍｍ）の各指標を含む。
【００７６】
図１１の（ａ）に示すように、第１サイズ表示部６１Ｅの指標６１ｅは、具体的なサイズが記載された２つの表示部６１ｉと縦送り／横送りの２つの表示部６１ｊとを有する。指標６１ｅの上部に斜めの目印ライン２０１ｄが配置され、指標６１ｅの側部に縦の目印ライン２０１ｅが配置される。
【００７７】
（視認窓）
図１０に示すように、サイド規制部材３３の端部には、シートサイズ表示部３６Ｅの傾斜面３１ｈと垂直面３１ｉに沿って曲げられた薄い板状の表示枠部３３ｗが固定されている。表示枠部３３ｗは、サイド規制部材３３の位置に応じて第１サイズ表示部６１Ｅのいずれかの指標を視認可能な視認窓８１Ｅと、第２サイズ表示部７１Ｅのいずれかの指標を視認可能な視認窓９１Ｅと、が設けられている。
【００７８】
サイド規制部材３４の端部には、サイド規制部材３３と同様に、傾斜面３１ｈと垂直面３１ｉに沿って曲げられた薄い板状の表示枠部３４ｗが固定されている。表示枠部３４ｗは、表示枠部３３ｗと同様に、第１サイズ表示部６１Ｅの指標を視認可能な視認窓と、第２サイズ表示部７１Ｅの指標を視認可能な視認窓と、が設けられている。
【００７９】
図１１の（ｂ）に示すように、表示枠部３３ｗに形成された視認窓８１Ｅには、指標６１ｅの目印ライン２０１ｅと平行な縦の位置合わせ部２２０ａと、指標６１ｅの目印ライン２０１ｄと平行な斜めの位置合わせ部２２０ｂが設けられている。
【００８０】
図１０に示すように、ユーザーは、シート収容部３１ＥにＡ３サイズのシートを縦送り状態で補給する場合、サイド規制部材３３をスライド移動させる。そして、図１１の（ｂ）に示すように、視認窓８１Ｅに指標６１ｅを位置決める。
【００８１】
このとき、垂直な位置合わせ部２２０ａを目印ライン２０１ｅに位置合わせし、斜めの位置合わせ部２２０ｂを目印ライン２０１ｄに位置合わせする。これにより、視認窓８１Ｅに目的とするシートサイズのみが表示されるため、ユーザーの意図に反して異なるシートサイズをサイド規制部材３３、３４において設定しなくて済む。
【００８２】
＜その他の実施の形態＞
図１２はその他の実施の形態の説明図である。実施の形態１では、電子写真方式の画像形成装置におけるシートカセットの形態を説明した。しかし、実施の形態１のシートカセット３０は、実施の形態４のように、インクジェット印刷方式の画像形成装置でも採用できる。そして、画像形成装置は、複写機の用途に限らず、プリンタ、ファクシミリ、複合機等の用途でも実施できる。
【００８３】
実施の形態１では、シートカセットの内底面にシートサイズ表示部を設ける形態を説明した。しかし、実施の形態１のシートサイズ表示部３６は、サイド規制部材３３の移動に連動して移動する視認窓が移動する経路であれば、他の場所に配置してもよい。
【００８４】
実施の形態１では、指標４１ａの輪郭線４１ｍの二辺はいずれも直線である。これに合せて、視認窓５１の輪郭５２の二辺はいずれも直線である。しかし、指標４１ａの輪郭線４１ｍの二辺は曲線でもよい。輪郭線４１ｍの形状は多角形、円形、楕円形、不規則な形状の不定形でもよい。これに合わせて、視認窓５１の輪郭５２の二辺は曲線でもよい。輪郭５２の形状は多角形、円形、楕円形、不規則な形状の不定形でもよい。図１２の（ａ）に示すように、矢印Ｄ方向に移動可能なサイド規制部材３３の端部に半円系の表示枠部３３ｗを設けてもよい。輪郭５２の形状は、指標４１ａ、４１ｂ、４１ｃ、１４ｄの輪郭に合せて、隣の指標と間違えにくい形にすることが望ましい。
【００８５】
実施の形態１では、表示枠部３４ｗは、サイド規制部材３３に固定されている。このため、シートサイズ表示部３６は、サイド規制部材３３の移動方向に指標６１ａ、６１ｂ、・・を配列している。しかし、表示枠部３３ｗは、ギアやレバーを介してサイド規制部材３３のスライド移動に連動していてもよい。この場合、サイド規制部材３３の移動方向とは異なる表示枠部３３ｗの連動方向に指標６１ａ、６１ｂ、・・を配列すればよい。図１２の（ｂ）に示すように、矢印Ｄ方向に移動可能なサイド規制部材３３の端部にラックギア３３ｕを設け、ラックギア３３ｕに噛み合って回転する目隠し板３３ｖを設けてもよい。回転軸３３ｔの周りで回転自在な目隠し板３３ｖに視認窓５１が形成され、視認窓５１を通じて指標４１ａ、４１ｂ、４１ｃ、４１ｄのうちの１つが読取可能となるようにしてもよい。
【００８６】
実施の形態２では、指標を二列に分けて配置する形態を説明した。しかし、三列以上が二列を含むため、指標は三列以上に分けて配置してもよい。
【００８７】
実施の形態１では、サイド規制部材３３、３４及び後端規制部材３５をユーザーが手動で移動させる実施の形態を説明した。しかし、サイド規制部材３３、３４及び後端規制部材３５は、モータ駆動によって自動的に移動され、ユーザーは設定されたサイズを確認する役割を担う実施の形態で実施されてもよい。
【符号の説明】
【００８８】
１  画像形成装置、２０  画像形成部
３０  シートカセット、３１  シート収容部
３２  前面カバー、３２ａ  把持部
３３、３４  サイド規制部材、３５  後端規制部材
３６、３７  シートサイズ表示部、４１  サイズ表示部
４１ａ、４１ｂ、４１ｃ、４１ｄ、４１ｅ  指標
４１ｉ、４１ｊ  表示部、４１ｋ  溝部、４１ｍ  輪郭線
５１  視認窓、５２  輪郭
６１  第１サイズ表示部、６１ａ、６１ｂ、６１ｃ、６１ｄ、６１ｅ  指標
７１  第２サイズ表示部、７１ａ、７１ｂ、７１ｃ、７１ｄ、７１ｅ  指標
８１  第１視認窓、８２、９２  輪郭、９１  第２視認窓
【図１】
2017007835.tif 000003
【図２】
2017007835.tif 000004
【図３】
2017007835.tif 000005
【図４】
2017007835.tif 000006
【図５】
2017007835.tif 000007
【図６】
2017007835.tif 000008
【図７】
2017007835.tif 000009
【図８】
2017007835.tif 000010
【図９】
2017007835.tif 000011
【図１０】
2017007835.tif 000012
【図１１】
2017007835.tif 000013
【図１２】
2017007835.tif 000014